(57)【要約】【課題】透析用剤を飛散させることなく溶解装置や透析用剤の貯留槽に開口して投入でき、埃や雑菌の混入を防止できるとともに、残留させることなく投入でき、また、開口のために刃物を使用しても腐食を防止できる袋式の透析用剤収納容器を提供する。【解決手段】可撓性シート材からなる第１面部２と第２面部３の周縁４を封止した袋体本体５と、可撓性シート材からなり先端部分６が封止された扁平筒状の排出口部材７とからなり、袋体本体５の一方の面部２に、排出口部材７の基端部を接続して排出口部材７の内部９と袋体本体５の内部８とを連通し、袋体本体５内の空間を透析用剤収納空部８とし、排出口部材７に開口した排出口１４から透析用剤を排出可能とした。【選択図】図１
2007301089.tif 000002
【特許請求の範囲】
【請求項１】
可撓性シート材からなる第１面部と第２面部の周縁を封止した袋体本体と、
可撓性シート材からなり先端部分が封止された扁平筒状の排出口部材とからなり、
前記袋体本体の一方の面部に、前記排出口部材の基端部を接続して該排出口部材の内部と袋体本体の内部とを連通し、袋体本体内の空間を透析用剤収納空部とするとともに、前記排出口部材の先端部を開口した排出口から袋体本体内の透析用剤を排出可能としたことを特徴とする透析用剤収納容器。
【請求項２】
前記排出口部材の先端部に開口手段を設け、該開口手段により開口した排出口から袋体本体内の透析用剤を排出可能としたことを特徴とする請求項１に記載の透析用剤収納容器。
【請求項３】
前記袋体本体を四角形に成形してその一方の面部に、袋体本体の幅方向に沿って排出口部材の基端部を接続し、排出口部材には、基端部から先端に向かって次第に幅狭となるテーパー部を形成したことを特徴とする請求項１または２に記載の透析用剤収納容器。
【請求項４】
前記第１面部と第２面部の周縁を帯状に溶着して封止し、この溶着部に孔を開設したことを特徴とする請求項１から３のいずれかに記載の透析用剤収納容器。
【請求項５】
前記開口手段が、ティアテープ、イージーピール、チャックなどの手動開口操作により開口可能な部材であることを特徴とする請求項１から４のいずれかに記載の透析用剤収納容器。
【発明の詳細な説明】
【技術分野】
【０００１】
本発明は、人工透析に用いる透析液の調製に使用される粉末状或いは顆粒状とした透析用剤を収納する袋状の容器に関する。
【背景技術】
【０００２】
透析用剤には、液体型と顆粒ないし粉末型との２種類の型状がある。液体型の透析用剤は、その大部分が水で占められており、重量と容量が大きくなるため、透析医療従事者への運搬作業の負荷が大きく、保管スペースも大きくなってしまう。そのため、近年、透析液を使用する際に、自動溶解装置（例えば特許文献１）に投入して、水に溶解させて透析液を調製する粉末型の透析用剤（以下、単に透析用剤という）が急速に普及している。この透析用剤を収納する容器には、現在、ボトル式（例えば特許文献２）と袋式が使われている。
【特許文献１】特開平８−２６８４１７号公報
【特許文献２】特開２００１−３４０４４７号公報
【発明の開示】
【発明が解決しようとする課題】
【０００３】
ボトル式の透析用剤収納容器を用いて自動溶解装置にセットすることで、全自動で透析液の調製を可能とするものがあり、ボトル式は、袋式に比べて剛性の高い材料で構成されているので、使用後空になっても、つぶして容量を小さくし難く、ゴミとして処分する際に嵩張ってしまう。
【０００４】
そこで、可撓性を有するシート材で袋状に構成されている袋式の透析用剤収納容器を用いることで、使用後の嵩高を減少させ、ゴミとしての廃棄処分を容易にすることが行なわれている。しかし、透析医療従事者が手作業で一袋ずつ開封し、溶解装置に透析用剤を投入して透析液を調製する場合には、投入する透析用剤の粉末が飛散し、周辺が汚染される場合が生じたり、透析用剤の中には、飛散した臭（酢酸臭など）で透析医療従事者が不快になるという問題がある。また、透析用剤の投入時においては、溶解槽や透析用剤貯留槽の投入口は開放状態にあるため、周囲の埃や雑菌が落下して混入し易いという問題もある。
【０００５】
一方、袋式の透析用剤収納容器を用い、自動投入する場合には、例えば水平にセットした袋のある個所に回転刃を当てて開封することが行なわれるが、回転刃によって透析用剤の粉末が飛散し、自動溶解装置内が汚染されるばかりでなく、袋内の透析用剤が残留し易いという問題がある。また、回転刃が透析用剤に直接接触するため刃物が腐食したり、腐食の進行によっては、錆などが溶解槽内に混入する恐れ生じるなどの問題もある。
【０００６】
本発明は上記した事情に鑑みてなされたもので、その目的は、透析用剤を飛散させることなく溶解装置や透析用剤の貯留槽に開口して投入することができ、埃や雑菌の混入を防止することができるとともに、残留させることなく投入することができ、また、開口のために刃物を使用しても腐食を防止することができる袋式の透析用剤収納容器を提供しようとするものである。
【課題を解決するための手段】
【０００７】
本発明は、上記目的を達成するために提案されたものであり、請求項１に記載のものは、可撓性シート材からなる第１面部と第２面部の周縁を封止した袋体本体と、可撓性シート材からなり先端部分が封止された扁平筒状の排出口部材とからなり、前記袋体本体の一方の面部に、前記排出口部材の基端部を接続して該排出口部材の内部と袋体本体の内部とを連通し、袋体本体内の空間を透析用剤収納空部とするとともに、前記排出口部材の先端部を開口した排出口から袋体本体内の透析用剤を排出可能としたことを特徴とする透析用剤収納容器である。
【０００８】
請求項２に記載のものは、前記排出口部材の先端部に開口手段を設け、該開口手段により開口した排出口から袋体本体内の透析用剤を排出可能としたことを特徴とする請求項１に記載の透析用剤収納容器である。
【０００９】
請求項３に記載のものは、前記袋体本体を四角形に成形してその一方の面部に、袋体本体の幅方向に沿って排出口部材の基端部を接続し、排出口部材には、基端部から先端に向かって次第に幅狭となるテーパー部を形成したことを特徴とする請求項１または２に記載の透析用剤収納容器である。
【００１０】
請求項４に記載のものは、前記第１面部と第２面部の周縁を帯状に溶着して封止し、この溶着部に孔を開設したことを特徴とする請求項１から３のいずれかに記載の透析用剤収納容器である。
【００１１】
請求項５に記載のものは、前記開口手段が、ティアテープ、イージーピール、チャックなどの手動開口操作により開口可能な部材であることを特徴とする請求項１から４のいずれかに記載の透析用剤収納容器である。
【発明の効果】
【００１２】
本発明によれば、以下のような優れた効果を奏する。
請求項１に記載の発明によれば、可撓性シート材からなる第１面部と第２面部の周縁を封止した袋体本体と、可撓性シート材からなり先端部分が封止された扁平筒状の排出口部材とからなり、前記袋体本体の一方の面部に、前記排出口部材の基端部を接続して該排出口部材の内部と袋体本体の内部とを連通し、袋体本体内の空間を透析用剤収納空部とするとともに、前記排出口部材の先端部を開口した排出口から袋体本体内の透析用剤を排出可能としたので、袋体本体とは別に透析用剤収納空部と連通させた排出口部材を上にした状態でこの排出口部材を開口することで、収納された透析用剤のない部分で開口することができ、透析用剤の飛散を防止することができる。そして、開口した袋体本体を反転して溶解槽を覆うようにすることで、埃や雑菌などの混入を防止した状態で投入することができる。また、排出口部材を下にして透析用剤を投入する際に、排出口部分を中心に袋体本体の下側の面部を透析用剤の自重や手でＶ字状に変形させることで、透析用剤を残留させることなく、完全に投入することができる。さらに、自動開封装置を用いる場合でも、排出口部材の透析用剤のない部分で開口することで、刃物の腐食を防止することができ、錆などの混入も防止することができる。
【００１３】
請求項２に記載のものは、前記排出口部材の先端部に開口手段を設け、該開口手段により開口した排出口から袋体本体内の透析用剤を排出可能としたので、排出口部材の開口手段によって道具を用いることなく手でも簡単に開口することができる。
【００１４】
請求項３に記載のものは、前記袋体本体を四角形に成形してその一方の面部に、袋体本体の幅方向に沿って排出口部材の基端部を接続し、排出口部材には、基端部から先端に向かって次第に幅狭となるテーパー部を形成したので、排出口部材の先端の幅狭のテーパー部から投入することで、漏斗状に集めて一層確実に飛散を防止して投入することができる。また、排出口部材の開口幅も小さくなり、その分だけ開口作業も容易となり、透析医療従事者の負担を軽減することができる。
【００１５】
請求項４に記載のものは、前記第１面部と第２面部の周縁を帯状に溶着して封止し、この溶着部に孔を開設したので、この孔を利用して指などを入れることで手での取り扱いを容易にすることができるとともに、自動開封装置に装着する場合の位置決めに利用して確実に装着することもできる。
【００１６】
請求項５に記載のものは、前記開口手段を、ティアテープ、イージーピール、チャックなどの手動開口操作により開口可能な部材で構成したので、刃物などの道具を用意することなく、簡単に手動開封したり、自動開封することができ、取り扱いが容易となる。
【発明を実施するための最良の形態】
【００１７】
以下、本発明の一実施の形態を図面に基づいて説明する。
図１は透析用剤収納容器の一実施形態の概略斜視図、図２は中央縦断面図、図３は側面図、図４は透析用剤収納容器の開口状態の説明図、図５は溶解槽への装着状態の説明図、図６は投入状態の説明図である。
【００１８】
この透析用剤収納容器１は、可撓性シート材からなる第１面部２と第２面部３の周縁４を封止した袋体本体５と、可撓性シート材からなり先端部分６が封止された扁平筒状の排出口部材７とからなり、袋体本体５の一方の面部２に突き出すように排出口部材７が接続されて内部同士が連通した概略袋状に構成され、排出口部材７の封止された先端部分６を開口して透析用剤２０を取り出すようになっている。可撓性シート材としては、例えば、ポリエステルのラミネートフィルム材やポリエチレンフィルムなど可撓性のある合成樹脂シート材（フィルム材）を使用することができ、具体例として厚さ１０〜５０μｍのポリエステルフィルムと、厚さ１０〜５０μｍの酸化ケイ素蒸着ポリエステルフィルムと、厚さ５０〜１００μｍのポリエチレンフィルムとを積層したラミネートフィルムを使用する。なお、袋体本体５に使用する可撓性シート材と排出口部材７に使用する可撓性シート材とを厚さの異なるものとして開口を容易としたり、異なる合成樹脂シート材とすることもできる。
【００１９】
この透析用剤収納容器１では、袋体本体５は２枚の四角形に成形した可撓性シート材からなる第１面部２と第２面部３を重ね合わせ、内部に空間を形成してその四周縁４を溶着（あるいは融着）して封止され、封止された内部の空間が透析用剤収納空部８として機能するようにしてある。
この袋体本体５の一方の面部である第１面部２の中間部には、幅方向に沿って２枚の可撓性シート材からなり先端部分６が溶着（あるいは融着）して封止されるとともに、左右側縁が溶着（あるいは融着）して封止された扁平筒状の排出口部材７の基端部が接続してある。これにより、袋体本体５の透析用剤２０を収納する容器としての内部の透析用剤収納空部８と、排出口部材７の透析用剤２０が収納されず排出の際の流路となる僅かな扁平な隙間の内部９とが連通される。
【００２０】
この透析用剤収納容器１では、第１面部２が２枚の可撓性シート材２ａ、２ｂで構成され、これら２枚の第１面部２ａ、２ｂの中間部側の端部が両側から折り重ねられ、２枚の折り重ねられた可撓性シート材が排出口部材７の２枚の可撓性シート材の面部７ａ、７ｂと兼用されている。これにより、透析用剤収納容器１は、２枚の第１面部２ａ、２ｂと１枚の第２面部３との３枚の可撓性シート材の周縁を溶着（あるいは融着）して封止された袋状になっている。なお、排出口部材７の第１面部２への接続位置は、中央部に限らず、一方の端部に寄せるようにしても良く、第１面部２から突き出すように接続できれば良い。また、図示例では、袋体本体１の第１面部２ａ、２ｂおよびこの第１面部と一体の排出口部材７の面部７ａ、７ｂを平面状とし、第２面部３を膨らみを持たせるようにして透析用剤収納空部８を形成したが、袋状に周縁を溶着（あるいは融着）して封止できれば、第１面部２ａ、２ｂ側にも膨らみを持たせるようにしても良い。
【００２１】
また、この透析用剤収納容器１では、第１面部２と第２面部３との周縁４の封止のための帯状の溶着（あるいは融着）部が幅広に形成してあり、粉末透析溶解装置の溶解槽１０、または粉末透析用剤貯留槽上のホッパー１１への密着度を上げて覆うことができるようにしてある。そして、帯状の溶着（あるいは融着）部のうち長手方向両端部には、孔１２が形成され、この孔１２に指を入れることで、手動での取扱いを容易としたり、自動開封装置などへの位置決めを孔１２を利用してできるようにしてある。なお、孔１２の位置や形状、個数は、図示例に限らず、他の位置や形状、個数などでも良く、必要に応じて適宜定めれば良い。
【００２２】
この排出口部材７には、図３に示すように、開口手段１３が設けられ、この開口手段１３により開口した排出口１４から袋体本体５内の透析用剤２０を排出できるようにしてある。開口手段１３としては、手動開口操作により開口可能な部材を用いることができ、例えばティアテープ１５、イージーピール、チャックなどを挙げることができる。ティアテープ１５は、開封用テープと呼ばれるもので、排出口部材７の２枚の可撓性シート材７ａ、７ｂの間に粘着材や熱などでテープを扁平筒状に挟んで取り付けておき、テープを介して切り裂くようにするものである。また、イージーピールは、イージーピールフィルム同士やイージーピールフィルムと異種フィルムとを組み合わせることでシール層自身から剥離させる凝集剥離タイプ、共押出しで２層または３層からなるフィルムを作り接着強度を低くした層から剥離させる層間剥離タイプ、ＥＶＡ（エチレンー酢酸ビニル共重合樹脂）などの易接着性樹脂の接着強度を調整したものを介在させて界面から剥離させる界面剥離タイプなどがあり、２枚の可撓性シート材７ａ、７ｂの間で剥離できるようにするものである。さらに、チャックは合成樹脂製などの凹凸状のものを互いに嵌合しておき、引き離すようにして開口するものである。なお、開口手段１３としては、これらに限らず、可撓性シート材を直線カット性フィルムとし、Ｖカット（Ｖノッチ）を形成しておき、簡単にカットできるようにすることもできる。
【００２３】
また、排出口部材７には、基端部から先端の排出口１４に向かって次第に幅狭となるテーパー部１６が形成され、排出口１４が袋体本体５から外側に向かって漏斗状にしてあり、透析用剤２０を取り出し易くしてある。
【００２４】
このような透析用剤収納容器１内に収納する透析用剤２０は、溶解時における化学反応を防止するためにＡ剤とＢ剤との２種類に分けて提供される。Ａ剤はブドウ糖、塩化ナトリウム、塩化マグネシウムなどの成分を含んだ薬剤であり、Ｂ剤は炭酸水素ナトリウムを主成分とする薬剤である。そして、透析液を調製するには、例えばＡ剤を２６８２．０ｇ、Ｂ剤を６６１．６ｇ使用する。そこで、例えば、透析用剤収納容器１を、透析液の調整に必要な使用量を収納可能な容量に設定し、Ａ剤用の透析用剤収納容器１の容量を約３リットル（幅約２３ｃｍ、高さ約４０ｃｍ）、Ｂ剤用の透析用剤収納容器１の容量を約１リットル（幅約１３ｃｍ、高さ約２３ｃｍ）に設定し、透析用剤収納容器１を見ただけで識別できるようにする。なお、袋体本体５の四周縁の１ヶ所の開口を封止する工程は、透析用剤収納空部８内に透析用剤２０を所定量充填した後である。
【００２５】
次に、使用方法について説明する。
工場を出荷する状態では透析用剤収納空部８内に所定量の透析用剤２０が収納され、袋体本体５の中間部に接続した排出口部剤７は袋体本体５に沿って重ねられるように左右いずれかに倒されている。この状態で病院まで搬送され、保管される。
【００２６】
そして、使用される時、即ち、溶解装置の溶解槽１０のホッパー１１に透析用剤２０を投入する場合には、図４に示すように、先ず、排出口部材７を上にした状態で開口手段１３、例えば、ティアテープ１５を引っ張るなどの手動操作で先端部分６を切除して排出口１４を開口する。この時、排出口部材７の扁平空部９には、透析用剤２０が存在しない状態で開口することができ、開口にともなって透析用剤２０の粉末が飛散することを防止することができる。また、排出口部材７に開口手段１３としてティアテープ１５が設けてあるので、鋏やカッターなどの工具を使用することなく作業者が手作業で簡単に切除して開口することができる。
【００２７】
排出口部材７の先端部分６を開口させたならば、図５に示すように、この透析用剤収納容器１を反転させて排出口部材７を下にして溶解装置の溶解槽１０のホッパー１１に排出口１４をセットする。この時、透析用剤収納容器１には、帯状の溶着部の長手方向両側に孔１２が開設してあるので、これらの孔１２を利用して手で確実に操作することができる。また、このセット状態では、溶解装置の溶解槽１０のホッパー１１を袋体本体５の周縁４の幅広に形成した溶着部(融着部)で覆うとともに、密着させることができ、埃や雑菌が落下して混入することを防止できる。
【００２８】
この様にしてホッパー１１に排出口部材７の排出口１４がセットされると、扁平空部９が流路となって透析用剤収納空部８内の透析用剤２０が開いたテーパー部１６で先細とされた排出口１４から落下し始める。そして、図６に示すように、袋体本体５の両側の孔１２を手で持ち上げるようにして排出口１４を中心にＶ字状に第１面部２ａ、２ｂを曲げることで、排出口１４に向って底部を傾斜させることができ、内部の透析用剤２０を残留させることなく投入することができる。また、テーパー部１６で排出口１４が漏斗状になっているので、透析用剤２０を飛散させたり、こぼすことなく確実に投入することができる。
【００２９】
そして、すべての透析用剤２０が落下して空になると、空の透析用剤収納容器１が取り外される。この後、使用済みとなった透析用剤収納容器１は潰れて扁平な袋体となり、容積が最小限近くまで減少し、容易に廃棄することができる。
【００３０】
このようにして、Ａ剤をＡ剤用の溶解槽へ投入して９Ｌ（リットル）のＡ原液を調製し、Ｂ剤をＢ剤用の溶解槽へ投入して１１．３４ＬのＢ原液を調整する。そして、Ａ原液：Ｂ原液：水＝１：１．２６：３２．７４の比率で混合すれば、３１５Ｌの透析液を調製することができる。
【００３１】
なお、上記の実施の形態では、溶解槽１０への投入のために排出口部材７の開口手段１３として手で開口する場合を例に説明したが、自動開封装置を用い、開口手段１３のティアテープ１５やイージーピール、あるいはチャックなどを自動的に開封するようにして溶解槽１０などに投入するようにしたり、開口手段として回転駆動される回転刃を用いても良く、回転刃を直接透析用剤２０に接触させずに開口でき、刃物の腐食を防止することができる。
【００３２】
また、上記実施の形態では、Ａ剤をブドウ糖、塩化ナトリウム、塩化マグネシウムなどの成分を含んだ薬剤とし、Ｂ剤を炭酸水素ナトリウムを主成分とする薬剤としたが、本発明はこの組み合わせに限定されず、水等の液体に溶解したものを混合して所定の透析液を調製でき、運搬・保管時には分けておくことが好ましい薬剤の組み合わせであれば、どのような組み合わせであってもよい。
【００３３】
さらに、本発明は、上記した透析用剤の容量や割合に限定されず、透析液の調製に必要な透析用剤の使用量に応じて透析用剤収納容器の寸法や収納容量を適宜設定すれば良い。
【図面の簡単な説明】
【００３４】
【図１】透析用剤収納容器の一実施形態の概略斜視図である。
【図２】透析用剤収納容器の一実施形態の中央縦断面図である。
【図３】透析用剤収納容器の一実施形態の側面図である。
【図４】透析用剤収納容器の一実施形態の開口状態の説明図である。
【図５】透析用剤収納容器の一実施形態の溶解槽への装着状態の説明図である。
【図６】透析用剤収納容器の一実施形態の投入状態の説明図である。
【符号の説明】
【００３５】
１  透析用剤収納容器
２  第１面部
２ａ  可撓性シート材
２ｂ  可撓性シート材
３  第２面部
４  周縁
５  袋体本体
６  先端部分
７  排出口部材
７ａ  可撓性シート材
７ｂ  可撓性シート材
８  透析用剤収納空部
９  扁平空部
１０  溶解槽
１１  ホッパー
１２  孔
１３  開口手段
１４  排出口
１５  ティアテープ
１６  テーパー部
２０  透析用剤
【図１】
2007301089.tif 000003
【図２】
2007301089.tif 000004
【図３】
2007301089.tif 000005
【図４】
2007301089.tif 000006
【図５】
2007301089.tif 000007
【図６】
2007301089.tif 000008